Podtech/llm-jp-corpus-v4-ja_patent huggingface dataset:
(57)【要約】      （修正有）【課題】帯鉄コイルの、惰性回転による余分な繰り出しや、巻きほぐれによる操出器からの飛び出しによる、作業性の劣化を防ぐ帯鉄操出器を提供する。【解決手段】帯鉄コイルのスプリングバック力に耐える荷重を帯鉄コイルに与える質量を有し、帯鉄コイルの径変化に追従するよう、蝶番のような角度自在の支点４を備えた押さえローラー支持部２ａを介して、帯鉄繰り出し直前部分を押さえる回転自由な押さえローラー２で、帯鉄コイル５上方から帯鉄を押さえる。押さえローラー２の帯鉄入り側手前の押さえローラー支持部２ａに、操出器内で巻きほぐれた帯鉄を押さえるための板押さえ部３を、帯鉄操出方向に平行して設ける。【選択図】図１
0003170180.tif 000002
【実用新案登録請求の範囲】
【請求項１】
帯鉄コイルを横軸で繰り出すための操出器であって、帯鉄繰り出し直前部分を押さえる、回転自由かつ帯鉄コイル径変化に追従可能な押さえローラー２を備え、さらに押さえローラーからの操出不具合を防止する板押さえ部３を設けた帯鉄操出器。
【考案の詳細な説明】
【技術分野】
【０００１】
本考案は、結束に使用される、コイル状に巻かれた帯鉄の操出器に関するものである。
【背景技術】
【０００２】
積層した金属板材など、比較的大きく質量の大きい製品を結束するための結束用材料としては、簡単に切れないために、強度の高い帯鉄が使用される。通常、帯鉄はコイル状に巻かれており、このコイルから必要長さを巻き出しながら使用する。帯鉄は、円周方向に回転させるため、回転自由なローラーで下方から支持され、帯鉄先端を手で引っ張り、帯鉄コイルを回転させながら手動操作で繰り出されることが多い。
【０００３】
上記のとおり、帯鉄コイルは回転自由に使用されるため、必要長さを操出後も惰性で回転し、余分に繰り出されてしまい結束作業の邪魔になる、また、帯鉄コイルは、コイル自身の質量によって形状が保たれているため、コイル径が小さくなり巻数が少なくなると、帯鉄のスプリングバックによりコイルが巻きほぐれ、帯鉄操出器から飛び出してしまう、などの問題があった。
【０００４】
帯鉄を繰り出す装置としては、帯鉄を下方から支持するローラーに、スプリング吊り装置を用いたものが考案されている（例えば特許文献１）。
【先行技術文献】
【特許文献】
【０００５】
【特許文献１】実開平３−０８９０３７
【考案の概要】
【考案が解決しようとする課題】
【０００６】
解決しようとする問題点は、帯鉄コイルの、惰性回転による余分な繰り出しや、巻きほぐれによる操出器からの飛び出しによる、作業性の劣化であり、本考案は当該課題を好適に解決するものである。
【課題を解決するための手段】
【０００７】
帯鉄コイルを上方から繰り出す操出器において、帯鉄の余分な繰り出しや、巻きほぐれを防止するため、帯鉄コイルの操出直前の位置を、回転自由かつ一定荷重のかかる押さえローラーで押さえることを主要な特徴とする。
【０００８】
帯鉄コイル操出器の上方に、高さ位置がコイル径に追従して変化する回転自由な押さえローラーを備え、操出器内での帯鉄コイルの多少の巻きほぐれによる操出不具合を防止するための帯鉄押さえ部を設ける。
【考案の効果】
【０００９】
帯鉄繰り出し部を、回転自由な押さえローラーで適度な荷重で押さえることにより、帯鉄コイルの回転を抑制して、帯鉄コイルの惰性回転による余分な繰り出しを防止し、必要長さを繰り出すことができる。
【００１０】
帯鉄コイルの径が小さくなった場合も同様に、操出器に装備されている操出器下部ローラーと、本考案の上部ローラーとで支持することにより、スプリングバックによる帯鉄の巻きほぐれと、それにともなう飛び出しを防止する。
【００１１】
さらに、帯鉄コイルが操出器内で多少巻きほぐれた場合に、押さえローラー手前で帯鉄が折り曲がってしまい繰り出せなくなる不具合を、帯鉄押さえ部で防止する。
【図面の簡単な説明】
【００１２】
【図１】本考案の一実施例の概略斜視図である。
【図２】本考案部分の効果を示した図である。
【考案を実施するための最良の形態】
【００１３】
帯鉄コイルを操出器に入れ、上方の押さえローラーを帯鉄繰り出し直前の部分にのせた後、帯鉄を繰り出す。
【符号の説明】
【００１４】
１      帯鉄操出器
２      押さえローラー
２ａ  押さえローラー支持部
３      帯鉄押さえ部
４      例えば蝶番
５      帯鉄コイル
６      支持ローラー
【図１】
0003170180.tif 000003
【図２】
0003170180.tif 000004
【手続補正書】
【提出日】平成23年6月30日(2011.6.30)
【手続補正１】
【補正対象書類名】実用新案登録請求の範囲
【補正対象項目名】全文
【補正方法】変更
【補正の内容】
【実用新案登録請求の範囲】
【請求項１】
帯鉄コイルを横軸で繰り出すための操出器であって、帯鉄コイルのスプリングバック力に耐える荷重を帯鉄コイルに与える質量を有し、帯鉄コイルの径変化に追従するよう、蝶番のような角度自在の支点４を備えた押さえローラー支持部２ａを介して、帯鉄繰り出し直前部分を押さえる回転自由な押さえローラー２を、帯鉄コイル５上方から帯鉄を押さえられるように設け、押さえローラー２の帯鉄入り側手前の押さえローラー支持部２ａに、操出器内で巻きほぐれた帯鉄を押さえるための板押さえ部３を、帯鉄操出方向に平行して設けた帯鉄操出器。
(57)【要約】      （修正有）【課題】地震時建物を地面から浮上させることにより免震機能を発揮させるシステムにあって、建物の浮上までの時間短縮を図った免震構造システムを提供する。【解決手段】地震をサイズモ系電磁センサー３により検出し、浮上コイルに電流をＳＷ４で流して電磁石からなる浮上コイル構造２を働かせて、磁気浮上式鉄道における車輌の如く地震対策対象家、建物１を地上より浮かせる。空気を建物下部に吹き込んで浮上させる方式に較べ、短時間に建物を浮上させることができる。【選択図】図１
0003170172.tif 000002
【実用新案登録請求の範囲】
【請求項１】
ＨＳＳＴで知られる超電導磁石の浮上コイル構造を有した家、建物の浮上コイルにサイズモ系電磁センサーにより検出した地震発生情報で電流を流す免震構造システム。  
【考案の詳細な説明】
【技術分野】
【０００１】
本考案は、従来の免震構造システムに於ける超電導磁石の浮上コイル構造システムに関する。
【背景技術】
【０００２】
ホーバークラフト、家、建物のゴムでできたスカートと呼ばれる囲いの中に空気をためて、その圧力で家、建物をうかび上がらせるものがあります。
【考案の概要】
【考案が解決しようとする課題】
【０００３】
しかしながら、ホーバークラフトによる免震構造システムは、地震検出から免震機能としての家、建物の浮上までの稼働時間短縮に工場の余地要求がある。
【０００４】
本考案は、上記実情に鑑みてなされたものであり、家、建物の浮上稼働時間短縮対策がなされている。
【課題を解決するための手段】
【０００５】
上記目的を達成するため考案は、稼働時間短縮として次の構成を含むこれを特徴としている。地震発生をサイズモ系電磁センサーにより検出し、浮上コイルに電流をＳＷ―ＯＮにより流して、超電動磁石の浮上コイル構造をＨＳＳＴのように働かせて地震対策対象家、建物の免震構造システムとする構成である。
【考案の効果】
【０００６】
本考案により、サイズモ系電磁センサーと超電導磁石の浮上コイル構造が電気電流による稼働時間短縮対策ができる。
【図面の簡単な説明】
【０００７】
【図１】本考案の免震構造システムである。
【考案を実施するための形態】
【０００８】
本考案の実施の形態の一例について、図面を参照しながら説明する。
免震構造システムは図１に示すように地震発生をサイズモ系電磁センサー３により検出し、浮上コイルに電流をＳＷ４で流して超電導磁石の浮上コイル構造２を働かせて、地震対策対象家、建物１を地上の建物より浮かせた免震構造システムである。
【符号の説明】
【０００９】
１．地震対策対象家、建物
２．超電導磁石の浮上コイル構造
３．サイズモ系電磁センサー
４．地震センサー３により２の浮上コイルへ電流を流して電磁石とするＳＷ。
ＳとＮは引き合う力、ＮとＮ、ＳとＳは反発する力が合わさって浮き上ります。
【図１】
0003170172.tif 000003
【手続補正書】
【提出日】平成23年7月8日(2011.7.8)
【手続補正１】
【補正対象書類名】実用新案登録請求の範囲
【補正対象項目名】請求項１
【補正方法】変更
【補正の内容】
【請求項１】
ＨＳＳＴで知られる超電導磁石の浮上コイル構造により浮上させる家又は建物に設けたサイズモ系電磁センサーにより検出した地震発生情報で電流を浮上コイルに流すスイッチ動作とした免震構造システム。
(57)【要約】【課題】起毛生地を用いてダウンプルーフ加工が施された側生地のガサ付き感が生じないようにし、保温性、保湿性が良好である羽毛布団の利点を活かしながら、使用に際しての肌触りやぬくもり感が良好な羽毛布団を提供する。【解決手段】布団下面の側生地３の表面全面と布団上面の側生地２の天部側の表面とを、起毛をポリエステル樹脂製のマイクロファイバーからなるものとした起毛部を有する柔軟な一枚の起毛生地５で覆った。【選択図】図２
0003170210.tif 000002
【実用新案登録請求の範囲】
【請求項１】
布団下面の側生地の表面全面と布団上面の側生地の天部側の表面とが、起毛をポリエステル樹脂製のマイクロファイバーからなるものとした起毛部を有して前記布団下面の側生地の表面から前記布団上面の側生地の天部側の表面に亘る一枚の柔軟な起毛生地で覆われていることを特徴とする羽毛布団。
【考案の詳細な説明】
【技術分野】
【０００１】
本考案は羽毛布団に関するものである。
【背景技術】
【０００２】
従来から羽毛布団は保温性、保湿性に優れていることから、冬季の寝具の掛け布団として多く利用されている。そして、この羽毛布団における保温性や保湿性に優れているところは空気の入れ換えを伴う温湿度の調整がなされている点であることから、側生地には一般的には通気性が確保し易い綿を素材とした生地が採用されている。一方、側生地に所要の通気性を確保しようとするとダウンやフェザーが側生地の織り目から抜け出る可能性があり、その羽毛吹き出しの防止を目的として特許文献１に示すように原反の生地に熱、圧を加えて織り目を潰すダウンプルーフ加工を施した側生地が用いられるようになってきている。
【先行技術文献】
【特許文献】
【０００３】
【特許文献１】特開２００４−３２４０２７号公報
【考案の概要】
【考案が解決しようとする課題】
【０００４】
上述したように羽毛布団の側生地にダウンプルーフを施した場合、使用に際してガサ付き感が生じて羽毛布団の使用感を損ねてしまうという欠点がある。一方、近年にあっては、マイクロファイバーからなる起毛生地が、肌触りが良いとともに温もり感に優れた生地として注目されるようになってきている。
【０００５】
そこで本考案者にあっては、このマイクロファイバーを用いた起毛生地の温もり感と肌触りの良さとに注目して本考案に至ったものであり、本考案は上記事情に鑑み、起毛生地を利用して、ダウンプルーフ加工が施された側生地のガサ付き感が生じないようにすることを課題とし、保温性、保湿性が良好である羽毛布団の利点を活かしながら、使用に際しての肌触りやぬくもり感が良好な羽毛布団を提供することを目的とするものである。
【課題を解決するための手段】
【０００６】
本考案は上記課題を考慮してなされたもので、布団下面の側生地の表面全面と布団上面の側生地の天部側の表面とが、起毛をポリエステル樹脂製のマイクロファイバーからなるものとした起毛部を有して前記布団下面の側生地の表面から前記布団上面の側生地の天部側の表面に亘る一枚の柔軟な起毛生地で覆われていることを特徴とする羽毛布団を提供して、上記課題を解消するものである。
【考案の効果】
【０００７】
本考案によれば、就寝時に使用者の肌と触れ易い部分については柔軟で肌触りのよい起毛生地が接することとなるため、従来のダウンプルーフ加工を施した側生地から受けるガサ付き感を使用者に与えない。また、起毛生地を配しない個所での側生地については従来通り通気性を確保することを第一とした素材選びが可能となるなど、実用性に優れた効果を奏するものである。
【図面の簡単な説明】
【０００８】
【図１】本考案に係る羽毛布団の一実施例を示す説明図である。
【図２】一実施例を断面で示す説明図である。
【考案を実施するための形態】
【０００９】
図中１は羽毛布団で、該羽毛布団１は、布団上下面に配された織布素材（ポリエステル繊維と綿）からなるダウンプルーフ加工が施された側生地で形成された空間にダウンやフェザーを充填物４として充填したものである。そして、布団下面の側生地３の表面全面と布団上面における天部側（襟部）の側生地２の表面とに、この布団下面の側生地３の表面から布団上面における襟部の側生地２の表面に亘ってマイクロファイバーからなる一枚の柔軟な起毛生地５が取り付けられ、起毛生地５によって布団下面の側生地３の表面全面と布団上面における天部側の側生地２の表面とが覆われるようにしている。前記柔軟な起毛生地５を配した個所は、羽毛布団の使用時に就寝者の肌が接し易い領域に設定したものであり、布団上面の天部側にあっては図１に示すように全幅に亘ってこの起毛生地５が配されている。
【００１０】
上記起毛生地５は、起毛をポリエステル樹脂製のマイクロファイバーからなるものとし、その起毛が立っている生地部は例えばポリエステル樹脂製のマイクロファイバーを織ってなるものである。そのため、この羽毛布団１を使用する就寝時において布団下面側の側生地３は使用者の肌と接することはなく、起毛生地５による肌触りの良さやぬくもり感を強調できるものとなっている。
【００１１】
そして、布団上面側では起毛生地５が天部側だけに配置されているため、布団上面の天部以外の領域について、通気性の確保を第一の条件とした側生地の種類の選択幅が広くなるという利点がある。
【符号の説明】
【００１２】
１…羽毛布団
２…布団上面の側生地
３…布団下面の側生地
４…充填物
５…起毛生地
【図１】
0003170210.tif 000003
【図２】
0003170210.tif 000004
(57)【要約】【課題】三角コーナー内の生ゴミから発生する悪臭を除去でき、各種サイズの三角コーナーにも適用可能な安価で汎用性に富んだ三角コーナー用蓋を提供する。【解決手段】角を丸めた略三角形状の平板な蓋体の上面略中央につまみを取り付け、蓋体の下面には円板状の固形脱臭剤を剥離可能に取り付ける。【選択図】図２
0003170205.tif 000002
【実用新案登録請求の範囲】
【請求項１】
家庭の流し台の隅に設置して生ゴミを一時保管する三角コーナー用の蓋であって、
角を丸めた略三角形状の平板な蓋体と、
該蓋板の上面略中央に取り付けたつまみと
前記蓋体の下面に剥離可能に取り付けた円板状の固形脱臭剤とを備えることを特徴とする三角コーナー用蓋。
【請求項２】
請求項１に記載の三角コーナー用蓋において、前記固形脱臭剤の形状を円板状に代えてドーナツ円板状、上面中央に窪みを有する円板状、矩形状、中央に貫通孔を有する矩形状、三角形状、中央に貫通孔を有する三角形状の何れかの形状したことを特徴とする三角コーナー用蓋。
【考案の詳細な説明】
【技術分野】
【０００１】
本考案は、家庭の流し台の隅に設置して生ゴミを一時保管する三角コーナーに使用する蓋に関する。
【背景技術】
【０００２】
家庭の流し台の隅には調理の際に発生する野菜クズ、茶殻などの生ゴミを水切りして一時保管する図６に示すような三角コーナーが設置される。三角コーナーに捨てられる生ゴミは悪臭を発生させ易く、蓋をしない状態では美観上の問題もある。
【０００３】
かかる問題を解決するため、例えば、特許文献１には三角コーナーの蓋上部に消臭剤を配置したシンク内家庭用三角コ−ナ−が開示されている。しかし、この三角コーナーの場合、消臭剤収納部が蓋上部に設けられ、収納部下面側は編み目にされ、消臭剤収納部の上部にはその開口部を塞ぐ二つ目の蓋が取り付けられる。このため構造が複雑でコスト高になる問題がある。
【先行技術文献】
【特許文献】
【０００４】
【特許文献１】実用新案登録第３０９７８４８号公報
【考案の開示】
【考案が解決しようとする課題】
【０００５】
本考案は、従来技術のこうした問題点を解決するためになされたもので、その課題は三角コーナー内の生ゴミから発生する悪臭を除去することができ、且つ、各種サイズの三角コーナーにも適用可能な安価で汎用性に富んだ三角コーナー用蓋を提供することにある。
【課題を解決するための手段】
【０００６】
前記課題を解決するための請求項１に記載の考案は、家庭の流し台の隅に設置して生ゴミを一時保管する三角コーナー用の蓋であって、角を丸めた略三角形状の平板な蓋体と、該蓋板の上面略中央に取り付けたつまみと、蓋体の下面に剥離可能に取り付けた円板状の固形脱臭剤とを備えることを特徴とする三角コーナー用蓋である。
【０００７】
このような構成の三角コーナー用蓋は、蓋体の下面が平らになっているため開口部のサイズが異なる各種三角コーナーに汎用的に適用できる。また、蓋体の下面側に固形脱臭剤が取り付けてあるため生ゴミから発生する悪臭を除去できる。その固形脱臭剤は剥離可能に取り付けてあるため脱臭効果が弱まった場合には簡単に交換できる。
【０００８】
また、請求項２に記載の考案は、請求項１に記載の三角コーナー用蓋において、固形脱臭剤の形状を円板状に代えてドーナツ円板状、上面中央に窪みを有する円板状、矩形状、中央に貫通孔を有する矩形状、三角形状、中央に貫通孔を有する三角形状の何れかの形状したことを特徴とする三角コーナー用蓋である。
【０００９】
固形脱臭剤の上面中央に窪みを設けたり貫通孔を設けたりすれば、つまみを蓋体に固定するためのネジの頭等が蓋体下面側に突出している場合でも固形脱臭剤を蓋体下面に密着して取り付けることができる。
【図面の簡単な説明】
【００１０】
【図１】本考案に係る三角コーナー用蓋１の外観斜視図である。
【図２】三角コーナー用蓋１の分解斜視図である。
【図３】つまみ４の取付け部の断面図である。
【図４】三角コーナー用蓋１の使用状態を示す外観斜視図である。
【図５】固形脱臭剤５の変形実施形態である。
【図６】三角コーナーの形状の一例である。
【考案を実施するための形態】
【００１１】
以下、本考案に係る三角コーナー用蓋の一実施形態について図面を参照して説明する。図１は本考案に係る三角コーナー用蓋１の外観斜視図、図２は三角コーナー用蓋１の分解斜視図、図３はつまみ４の取付け部の断面図、図４は三角コーナー用蓋１の使用状態を示す外観斜視図である。
【００１２】
三角コーナー用蓋１は図６に示したような三角コーナー２の上に載置して使用する蓋である。本実施形態の三角コーナー用蓋１は図２に示すように蓋体３、つまみ４、固形脱臭剤５を備えて構成される。
【００１３】
蓋体３は三角コーナー２の開口部を塞ぐことができるように、樹脂、アルミ、木材等の平板を角を丸めた略三角形状に形成したものである。下面が平らにしてあるのは一つサイズの蓋を各種サイズの三角コーナーに汎用的に適用可能にするためである。
【００１４】
蓋体３の上面略中央にはつまみ４が取り付けてある。つまみ４の取り付け方法は各種考えられるが、本実施形態では図３の断面図に示すようにネジ７で固定する方式を採用している。蓋体３の上面略中央にはネジ７を通す孔８が形成してあり、つまみ４には下面側からネジ孔９が形成してある。つまみ４を蓋体３の孔８の上に載せ、蓋体３の下面側からネジ７をつまみ４のネジ孔９にねじ込んで固定する。ネジ７は頭部の面積が広く、高さは低い形状が好ましい。
【００１５】
このようにして組み立てたつまみ４付きの蓋体３の下面側には固形脱臭剤５が取り付けてある。固形脱臭剤５は三角コーナー２内の生ゴミから発生する悪臭を吸収させるためのものである。脱臭剤５としては、例えば活性炭を使用する。脱臭剤５は円板状に形成され、上面には剥離可能な接着剤が塗布されている。これを蓋体３の下面側に剥離可能に取り付ける。剥離可能に取り付けてあるので脱臭効果が弱まった場合には簡単に交換することができる。
【００１６】
蓋体３の下面側にネジ７の頭部が突出している場合には、固形脱臭剤５は図５の（１）に示すように円板形状の中央部に窪み１０を形成しておくとよい。また、図５の（２）に示すように中央に貫通孔１１を有するドーナツ円板状に形成してもよい。その他、矩形状、中央に貫通孔を有する矩形状、三角形状、中央に貫通孔を有する三角形状の何れの形状にしてもよい。図４はこのようにして組み立てた三角コーナー用蓋１の使用状態を示す。
【００１７】
本実施形態の三角コーナー用蓋１は、蓋体３の下面が平らになっているため開口部のサイズが異なる各種三角コーナーに汎用的に適用できる利点を有する。また、蓋体３の下面側に固形脱臭剤５が取り付けてあるため生ゴミから発生する悪臭を除去できる。その固形脱臭剤５は剥離可能に取り付けてあるため、脱臭効果が弱まった場合には簡単に交換できる利点を有する。
【符号の説明】
【００１８】
図面中、１は三角コーナー用蓋、２は三角コーナー、３は蓋体、４はつまみ、５は固形脱臭剤、７はネジを示す。
【図１】
0003170205.tif 000003
【図２】
0003170205.tif 000004
【図３】
0003170205.tif 000005
【図４】
0003170205.tif 000006
【図５】
0003170205.tif 000007
【図６】
0003170205.tif 000008
(57)【要約】      （修正有）【課題】使用中に傘止めバンドを固定できる傘を提供する。【解決手段】傘生地、傘の支柱と傘止めバンドを備えてなり、そして、傘止めバンドを傘生地に係止するための可動連結装置を備え、シンプル構造で見た目がよく、使用中に傘止めバンドが固定されて、傘止めバンドがユーザの視線を阻害することを避けられ、使用上の安全性を高められること、反射バンドの傘止めバンドが採用されるので、ヘッドライトに反射して、目立つように見え、雨の夜、ユーザがそれを持って歩いているとき、来往する車両の運転手によい警告効果を与えて、運転手の不注意で、傘を差している通行人にぶつかったりする交通事故の発生を避けられ、更に、傘使用の安全性を高められることである。【選択図】図１
0003170245.tif 000002
【実用新案登録請求の範囲】
【請求項１】
傘生地（１）、傘の支柱（２）と傘止めバンド（３）を備えてなり、また、傘止めバンド（３）を傘生地（１）に係止するための可動連結装置を備えてなるものであることを特徴とする使用中に傘止めバンドで固定できる傘。
【請求項２】
前記可動連結装置は、粘着部（４）とマジックテープ（５）（登録商標）を備えてなり、粘着部（４）は傘生地（１）に、マジックテープ（５）（登録商標）は傘止めバンド（３）の端部に設けられていることを特徴とする請求項１に記載の使用中に傘止めバンドで固定できる傘。
【請求項３】
前記可動連結装置は、ボタン孔（６）とボタン（７）を備えてなり、ボタン孔（６）は傘生地（１）に、ボタン（７）は傘止めバンド（３）の端部に設けられていることを特徴とする請求項１に記載の使用中に傘止めバンドで固定できる傘。
【請求項４】
前記傘止めバンド（３）は、反射バンドであることを特徴とする請求項１〜請求項３のいずれかの項に記載の使用中に傘止めバンドで固定できる傘。
【考案の詳細な説明】
【技術分野】
【０００１】
本考案は、日常生活用品の技術分野に関わり、特に傘に関する。
【背景技術】
【０００２】
傘は、人々が日常生活でよく用いる物で、傘生地にある傘止めバンドが、傘を閉じたときに、傘を束ねることができるが、傘を開いたときに、傘止めバンドが垂れ下がって、傘の全体的な見た目が悪くなり、視線の邪魔になり、安全性が懸念される。
【０００３】
また、従来の傘を持って、暗いところを歩いていると、警告効果が比較的に悪いのが多く、そこで、雨の夜、ユーザがそれを持って歩いているとき、視線が制限されて、往来の車がよく見えないと同時に、車の運転手から、傘を差している通行人もよく見らないということで、交通事故がよく発生するらしい。上述の問題を解決するため、市場で、警告機能を有する傘も見られるようになったが、しかし、その構造は複雑で、コストも高くて、なかなか広く応用されないのが多いようである。
【考案の概要】
【考案が解決しようとする課題】
【０００４】
本考案は、シンプル構造で見た目がよく、安全性がよいという特色を有する、使用中に傘止めバンドで固定できる傘を提供することを目的とする。
【課題を解決するための手段】
【０００５】
上述の目的を実現させるため、本考案は、傘生地、傘の支柱、と傘止めバンドを備えてなり、また、傘止めバンドを傘生地に係止するための可動連結装置を備えてなるものであることを特徴とする使用中に傘止めバンドで固定できる傘を提供する。
【０００６】
該可動連結装置は、粘着部とマジックテープ（登録商標）を備えてなり、粘着部は傘生地に、マジックテープ（登録商標）は傘止めバンドの端部に設けられていることを該技術手段の特徴とする。
【０００７】
該可動連結装置は、ボタン孔とボタンを備えてなり、ボタン孔は傘生地に、ボタンは傘止めバンドの端部に設けられていることを該技術手段の特徴とする。
【０００８】
該傘止めバンドは、反射バンドであることを該技術手段の特徴とする。
【考案の効果】
【０００９】
本考案の効果は、シンプル構造で見た目がよく、使用中に傘止めバンドが固定されて、傘止めバンドがユーザの視線を阻害することを避けられ、使用上の安全性を高められること、反射バンドの傘止めバンドが採用されるので、ヘッドライトに反射して、目立つように見え、雨の夜、ユーザがそれを持って歩いているとき、来往する車両の運転手によい警告効果を与えて、運転手の不注意で、傘を差している通行人にぶつかったりする交通事故の発生を避けられ、更に、傘使用の安全性を高められることである。  
【図面の簡単な説明】
【００１０】
次の図面を合わせて、本考案について更に説明する。
【図１】本考案の実施例一の構造図。
【図２】本考案の実施例二の構造図。
【考案を実施するための形態】
【００１１】
図１に示すのは、傘生地１、傘の支柱２、傘止めバンド３、そして、傘止めバンド３を傘生地１に係止するための可動連結装置を備えてなる使用中に傘止めバンドで固定できる傘であり、本実施例にあっては、可動連結装置は、粘着部４とマジックテープ５（登録商標）を備えてなり、粘着部４は傘生地１に、マジックテープ５（登録商標）は傘止めバンド３の端部に設けられており、傘を開いたとき、傘止めバンド３の端部にあるマジックテープ５（登録商標）を、傘生地３にある粘着部４に粘着させると、傘止めバンド３が係止されるので、とても便利である。更に、傘使用の安全性を高めるために、傘止めバンド３は、光反射材で作られたものである。
【００１２】
図２に示す実施例二にあっては、可動連結装置は、ボタン孔６とボタン７を備えてなり、ボタン孔６は傘生地１に、ボタン７は傘止めバンド３の端部に設けられており、傘を開いたとき、傘止めバンド３の端部にあるボタン７を傘生地３にあるボタン孔６に止めると、傘止めバンド３が係止することとなり、そのほかも実施例一と同様で、ここでそれ以上述べないことにする。
【００１３】
上述は、本考案の好適な実施例のみについて説明してきたが、それを以って、本考案の実用新案登録請求の範囲を制限してはならず、また、本考案をもとに、何らかの変更や改造を行っても、すべて本考案の実用新案登録請求の範囲に含まれるものとする。
【符号の説明】
【００１４】
１      傘生地
２      傘の支柱
３      傘止めバンド
４      マジックテープ（登録商標）
５      粘着部
６      ボタン孔
７      ボタン
【図１】
0003170245.tif 000003
【図２】
0003170245.tif 000004
(57)【要約】      （修正有）【課題】てこの原理を応用し、刃が露出しない構造とすることで、ナイフの刃を横や上方向に向けて使用するような場面においても力を入れやすく、安全に作業することができるようにする安全ナイフを提供する。【解決手段】刃２を上に向けたナイフに対しておさえ３を設け、これらより上にずらした位置に柄５を配置することでおさえの先端４を支点、柄を力点とし、ナイフの刃の切断対象物に接している箇所に力を作用させることでてこの原理を応用し、刃を横や上方向に向けて使用しても力が入れやすく、安全に切断することができるようにした。また、おさえの存在により刃が露出せず、切断箇所確認窓６を設けることで正確に切断作業を行うことができる。【選択図】図１
0003170239.tif 000002
【実用新案登録請求の範囲】
【請求項１】
刃を上に向けたナイフに対しておさえを設け、これらより上にずらした位置に柄を配置することでおさえの先端を支点、柄を力点とし、ナイフの刃の切断対象物に接している箇所に力を作用させることでてこの原理を応用し、刃を横や上方向に向けて使用しても力が入れやすく、安全に切断することができるとともに、おさえの真中に切断箇所確認窓を設けることで切断箇所を目視できるようにしたナイフ。
【考案の詳細な説明】
【技術分野】
【０００１】
本考案は、てこの原理を応用することで安全性を向上させたナイフに関するものである。
【背景技術】
【０００２】
ナイフ等で筒状のもの（魚の腹、蟹の足等）を調理する場合、ナイフ等の刃を横や上方向に向けて使用しなければならず、ナイフ等に力を入れづらく、動きを制御することが難いため危険であった。
【０００３】
また、ナイフでダンボール等の梱包を開放する際に、ナイフ等の刃で内容物を傷つけてしまう恐れがあった。
【０００４】
ナイフ等の先端を鋭利にしない形状のナイフや、下地を傷つけないようなカッターナイフもあるが、刃を横や上方向に向けて使用することは難しい。
【先行技術文献】
【特許文献】
【０００５】
【特許文献１】特許公開２０００−６１１７０
【考案の概要】
【考案が解決しようとする課題】
【０００６】
解決しようとする問題点は、従来のナイフ等で刃を横や上方向に向けて使用するときにナイフ等に力を入れづらく、動きを制御することが難しい点と、ナイフ等でダンボール等の梱包を開放する際に、ナイフ等の刃で内容物を傷つけてしまう点である。
【課題を解決するための手段】
【０００７】
本考案は、刃を上に向けたナイフに対しておさえを設けることで、おさえの先端を支点・柄を力点とし、刃の切断対象物と接している箇所に力を作用させて切断対象物を切断することができる。また、おさえの存在によりナイフの刃が露出しない構造とし、切断箇所を確認できる窓を設けたことを主な特徴とする。
【考案の効果】
【０００８】
本考案のナイフは、てこの原理を応用して切断対象物を切断する構造としたことで、ナイフの刃を横や上方向などの危険な方向に向けて使用するような場合においても力を入れやすく、支点となるおさえ先端より刃が動くことがないため、刃の動きを制御しやすく安全である。また、おさえの存在により刃が露出していないため、誤って刃の近くを触れても受傷する危険が少ない。さらに、切断箇所確認窓を設けたことで切断箇所を目視でき、正確に切断作業を行うことができる。
【図面の簡単な説明】
【０００９】
【図１】てこの原理を応用した安全ナイフの実施方法を示した説明図である。
【図２】てこの原理を応用した安全ナイフの実施方法を示した説明図である。
【図３】てこの原理を応用した安全ナイフの使用方法を示した説明図である。
【考案を実施するための形態】
【００１０】
ナイフの刃を横や上方向に向けて使用する場面においても力が入れやすく、刃が露出しない安全なナイフをより単純な構造で実現した。
【実施例】
【００１１】
図１及び図２は実施例を示した図であり、図３は使用方法を示した図である。また、１〜５は図１、図２及び図３において同様である。
【００１２】
刃２を上に向けたナイフ部１に対しておさえ３を設け、使用者が保持しやすいように柄５をナイフ部１及びおさえ３より上にずらした位置に配置する。また、おさえ３の真中に穴を開け、切断箇所確認窓６を設けることで切断箇所を目視することができるようにする。
【００１３】
図３（ａ）のように、切断対象物７をナイフ部１とおさえ３の間に入れ、（ｂ）のように柄５をおさえ先端４を中心に上方向に持ち上げることで、おさえ先端４が支点、柄５が力点となり、ナイフ部１の刃２が切断対象物７が接している箇所に力が作用し、切断対象物７の切断に至る。その後、（ｃ）のようにナイフを前へ進め、前記の操作を繰り返すことで切り進めることができる。
【００１４】
切断時にナイフ部１の刃２の動きが支点となるおさえ先端４の位置を越える事はなく、刃２の危険方向（上側）に対しておさえ３が設けられていることで刃２が露出せず、不用意な動きに対しても受傷する危険性は少ない。
【産業上の利用可能性】
【００１５】
ナイフ等の刃を横や上方向に向けて使用しなければならない場合でも安全に使用することができるため、食材の調理をする現場で利用することができる。また、蟹の足等に対しては、刃が鋭利である必要がないため、カニ料理を提供するような料理店において、蟹の甲羅を剥くために子供が使用しても安全である。
【００１６】
また、刃が上を向いた構造としたことで、ダンボール等の梱包の開放作業現場においても内容物を傷つけずに作業することが可能である。
【符号の説明】
【００１７】
１  ナイフ部
２  刃
３  おさえ
４  おさえ先端
５  柄
６  切断箇所確認窓
７  切断対象物
【図１】
0003170239.tif 000003
【図２】
0003170239.tif 000004
【図３】
0003170239.tif 000005
(57)【要約】      （修正有）【課題】車の側面のワックス掛けのときに落としやすかったスポンジに、ゴムひもを通し、ゴムひもとスポンジを一体化して、中指でスポンジを固定し、他の４本の指が自由に使える。これにより車の側面等の部分で手を滑らせても落ちないスポンジを提供する。【解決手段】円形あるいは楕円形のスポンジの中央及び側面部分に、プレス器具等を使って穴を開け、その穴にゴムひもを通し、スポンジとゴムひもとを一体に固定する。ゴムひもはスポンジに開けた穴にＡ部から矢印方向に通していく。接続部分は圧縮機で温圧をかけて固定する。スポンジの表側、中央部付近でスポンジの内部からゴムひもが半円状に突出する。ゴムひもの半円状の突出部とスポンジの表面部とで形成される隙間は手の中指１本分が入る程度の大きさであることが望ましい。【選択図】図２
0003170286.tif 000002
【実用新案登録請求の範囲】
【請求項１】
指を通すためにスポンジにゴムひもを取りつけたゴムひも付きワックス掛け用スポンジ。
【請求項２】
スポンジの表面中央部付近にスポンジの内部からゴムひもを半円状に突出させて、該ゴムひもとスポンジ表面との間に手の指が１本入る隙間を形成したことを特徴とするワックス掛け用スポンジ。
【考案の詳細な説明】
【技術分野】
【０００１】
ゴムひもを付けた車のワックス掛けスポンジに関するものである。
【背景技術】
【０００２】
スポンジには手に留めるものはあるが、車のワックス掛けに使うスポンジだと、ワックスが油性のため、落としたときに砂や小石が付着してしまうことが多い。スポンジを拾い、手で払っても洗浄しても、砂や小石は完全には取り除けない。そのスポンジを使用すると塗装面に傷をつけやすい。
【先行技術文献】
【特許文献】
【０００３】
【特許文献１】特開２００７−１１１５４３号公報
【特許文献２】特開２００４−１５９７２８号公報
【考案の概要】
【考案が解決しようとする課題】
【０００４】
車のワックス掛けスポンジが不用意に手から落ちないことを目的としたものである。
【課題を解決するための手段】
【０００５】
スポンジ１にゴムひも２を取り付ける。以上の考案であるから、ワックス掛けの車から誤ってスポンジが離れても、手指にゴムひもとスポンジが一体化しているので落ちない。
【考案の効果】
【０００６】
本考案により、車のワックス掛け中に、つい手を滑らせもスポンジを落とすことがなくなる。また砂や小石の付いたスポンジで車の塗装面に傷を付けることがなくなる。
【図面の簡単な説明】
【０００７】
【図１】本考案に係るスポンジの断面図
【図２】本考案に係るスポンジの製造過程を説明してなる断面図
【図３】本考案に係るスポンジの斜視図
【考案を実施するための形態】
【０００８】
図面を使いながら本考案に係る車のワックス掛け用スポンジについて説明する。円形あるいは楕円形のスポンジ１の中央及び側面部分に、プレス器具等を使って穴を開け、その穴にゴムひも２を通し、図１のようにスポンジ１とゴムひも２とを一体に固定する。図２に示すように、ゴムひも２はスポンジ１に開けた穴にＡ部から矢印方向に通していく。図２の接続部分は圧縮機で温圧をかけて固定する。スポンジ１の表側、中央部付近でスポンジ１の内部からゴムひも２が半円状に突出する（図面２のＡ部）。ゴムひも２の半円状の突出部とスポンジ１の表面部とで形成される隙間は手の中指１本分が入る程度の大きさであることが望ましい。
本考案のワックス掛けスポンジを使用するときは、スポンジ１とゴムひも２の隙間（図２のＡ部）に手の中指を通し、他の４本の指でスポンジ全体を把持する。これによりスポンジを手に固定しながら車のワックス掛けを行うことが出来る。スポンジが手に密着して固定されるので、車の側面部分でも楽にワックスを塗ることができる。またスポンジは手に一体化しているのでスポンジを持っている感覚ではなく使用することができる。誤って車からスポンジが離れても、手とスポンジが一体化しているので地面にスポンジを落とすこともない。
【符号の説明】
【０００９】
１  スポンジ
２  ゴムひも
【図１】
0003170286.tif 000003
【図２】
0003170286.tif 000004
【図３】
0003170286.tif 000005
(57)【要約】【課題】組み立てが出来る限り簡単であること、価格が安価であること及び設置場所狭小であっても違和感なく設置できる等の耐久性に優れた多層構造陳列ボードを提供する。【解決手段】複数枚の古紙を貼合紙してなる厚板状からなる多層構造陳列ボードには予め複数のフック取り付け孔が形成されると共に、前記多層構造陳列ボードの下辺部１／３に裏面側に切り目を設け、該切り目より下辺部を表面側に折り返し得ると共に、使用時には多層構造陳列ボードの下辺部を伸長せしめそのその表面を面一とした上で前途切り目を跨がって補強テープにて接着するようにしたことを特徴とした多層構造陳列ボード。【選択図】図１
0003170731.tif 000002
【実用新案登録請求の範囲】
【請求項１】
複数枚の古紙を貼合紙してなる厚板状からなる多層構造陳列ボードには予め複数のフック取り付け孔が形成されると共に、前記多層構造陳列ボードの下辺部１／３に裏面側に切り目を設け、該切り目より下辺部を表面側に折り返し得ると共に、使用時には多層構造陳列ボードの下辺部を伸長せしめそのその表面を面一とした上で前途切り目を跨がって補強テープにて接着するようにしたことを特徴とした多層構造陳列ボード。
【請求項２】
複数枚の古紙を合紙してなる厚板状からなる所定形状の陳列ボードの板厚はほぼ２メリメートルである請求項１記載の多層構造陳列ボード。
【考案の詳細な説明】
【技術分野】
【０００１】本考案は腹巻、靴下、手袋、トランクス、その他各種の小物雑貨を展示販売用の多層構造陳列ボードに関する。
【背景技術】従来この種の陳列ボードで陳列される商品は腹巻、靴下、手袋、トランクス、その他各種の小物雑貨であることから陳列ボードが安価で且つ耐久性のあることが求められる。
【考案の概要】
【考案が解決しようとする課題】
【０００２】このような陳列ボードで吊り下げ、販売しようとする商品が軽量な小物商品が多いことから陳列ボード自体の組み立てに手数を要すること、及び大型で設置場所を占拠する陳列台は敬遠され、組み立てができる限り簡便であること、陳列ボードの価格が安価であること及び設置場所狭小であっても周囲の売場と違和感なく設置できる等の陳列ボードが要求される。
更に、陳列ボードが輸送中に損傷せず、且つ輸送コストが安価であるのが望ましい。
【考案が解決するための手段】
【０００３】上記の課題を解決すべく、複数枚の古紙を貼合紙してなる厚板状からなり、ほぼその板厚を２ミリメートルとした所定形状の多層構造陳列ボードであって、この陳列ボードには予め複数のフック取付孔が形成されると共に、前記陳列ボードの下辺部１／３には表面紙のみにて連係してなる裏面側に切目を設け、該切目より下辺部を表面側に折り返し得ると共に、使用時には陳列ボードの下辺部を伸長せしめそのその表面を面一とした上で前途切目を跨がって補強テープにて接着するようにしたことを特徴とする多層構造陳列ボードとした。
【考案の効果】
【０００４】本考案の陳列ボードは、腹巻、靴下、手袋、トランクス、その他各種の小物雑貨の展示販売用にかなり長期間使用することが出来る。
【図面の簡単な説明】
【０００５】
【図１】使用状態を示す斜視図
【図２】陳列ボードの表面側の平面図
【図３】陳列ボードの側裏面図
【図４】陳列ボードの切り目より下辺部を表面側に重合した状態を示す説明図
【図５】下辺部を表面側に折り返し陳列ボードを面一とした状態を示す説明図
【図６】フック部材を陳列ボードの孔に嵌合した状態を示す拡大図
【図７】フック部材の斜視図
【図８】下辺部を表面側に折り返し陳列ボードを面一とした状態を示す拡大図
【考案を実施するための形態】
【実施例】
【０００６】  以下、この考案の実施の形態について詳細に説明する。
複数枚の古紙の各薄層１、薄層２、薄層３を貼合紙してなる厚板４からなるほぼその板厚を約２ミリメートルとした矩形のの多層構造陳列ボード５を形成する。この多層構造陳列ボード５は上方ボード６と下方ボード７とからなりと共に上方ボード６は前記陳列ボード５の上部２／３を占め、下方ボード７は前記陳列ボード５の下部１／３を占めている。
上方ボード６と下方ボード７とは裏面の切目線８によって陳列ボード５の裏面は分断されており、その表面は表面紙１により連設している。従って、下方ボード７は表側方向に反転できる。【０００７】多層構造陳列ボード５には所望複数カ所のフック取付孔１０が形成され、各フック取付孔１０には所定のフック１２を取り付けることができる。フックの装着に際して、図６に示すように多層構造陳列ボード５に設けられたフック取付孔１０にフック１２の上部ツメ１２ａ差込んだ後、次に下部ツメ１２ｂ押し込むことで完了する。【０００８】多層構造陳列ボード５を展示用に使用する場合には、図４の矢印方向に倒して、上方ボード６と下方ボード７を伸長せしめ、図５に示すように上方ボード６と下方ボード７とが面一状態になると、多層構造陳列ボード５の裏面側では切り目８は分離の状態で線状となる。図８に示すように、線状となった前記切り目８を跨ぐように強力接着力を有する広巾の補強テープ１１を貼着すれば多層構造陳列ボード５は、あたかも一枚板状態となりそのまま多層構造陳列ボード５として使用することができる。前記の広巾の補強テープ１１の裏面には予め離型紙１１ａが仮貼されており、この離型紙１１ａを剥がせば広巾の補強テープ１１は接着として機能する。【０００９】輸送時又は格納時には、図４に示すように、下方ボード７を上方ボード６に反転した状態で、他の同様の多層構造陳列ボード５とを重合して、これを一単位として他の多層構造陳列ボード５と共に、これら多層構造陳列ボード５複数単位を箱詰め梱包、格納及び輸送を効率的に行うことが出来る。【００１０】なお、この  多層構造陳列ボード５の上部には吊り紐１３と、必要に応じてＳ管１４が設けられて陳列に便利なようにされる。
【産業上の利用の可能性】
【００１１】この考案の陳列ボードは、全体が古紙で成形されているので環境保護の時代の要請にも叶うものである。
【符号の説明】
【００１２】１．．．古紙薄層
２．．．古紙薄層
３．．．古紙薄層
４．．．厚板
５．．．陳列ボード
６．．．上方ボード
７．．．下方ボード
８．．．切り目
９．．．表面紙９
１０．．フック取付孔
１１．．広巾補強テープ
１１ａ．広巾補強テープ背面離型紙
１２．．フック
１２ａ．上方ツメ
１２ｂ．下方ツメ
１３．．吊り紐
１４．．Ｓ管
【先行技術文献】
【００１３】この種の陳列ボードは従来安価に製作するために一回の型抜きで製作される単層構造の厚板が常識（特許文献１参照）であったが、このような単層の陳列ボードでは、低価格で提供することができるが、耐久性に欠ける欠点があった。しかも、比較的小物商品を展示することから、フックから小物商品の出し入れが頻繁に行われることで陳列ボードが粗雑に扱われることが多かった。
【特許文献】
【特許文献】特開２００５−２３０３０３
【図１】
0003170731.tif 000003
【図２】
0003170731.tif 000004
【図３】
0003170731.tif 000005
【図４】
0003170731.tif 000006
【図５】
0003170731.tif 000007
【図６】
0003170731.tif 000008
【図７】
0003170731.tif 000009
【図８】
0003170731.tif 000010
(57)【要約】      （修正有）【課題】封筒の片面にフィルムを貼って内側が見えるようにするともに、壁にかけられる封筒を提供する。【解決手段】長方形の用紙１の上部の狭い区画１−３を封筒入口の封緘用フラップ２とし、次に１−３を除いた裏面区画の３辺に巾の狭い接着剤３−１、３−２、３−３を施す。用紙１と透明フィルム２とを接着し、フラップ１−３の中央部に吊るし孔４−１を施し、更にこれを折って接着剤又は両面テープによって封緘した時、孔４−１に重ね合う位置にも吊るし孔４−２を施す。この封筒を開封して封入された中身を取り出した時吊るし孔４−１と４−２とが重ね合うようにして、この封筒を吊るし孔によってかべにかける。【選択図】図１
0003170732.tif 000002
【実用新案登録請求の範囲】
【請求項１】
書類・カタログ・・・を入れる為の封筒に於いて、表側の部分を長方形の紙とし裏側の部分を透明フィルムとし、この両者の三辺に接着剤を施し重ね合わせ、接着して封筒とし、その上部の紙端のフラップと呼ばれる狭い封緘区画のほぼ中央部の封緘部分に施された接着剤又は両面テープを避けた部分に吊るし孔を施し、更にこのフラップを折って封緘した時、前記の吊るし孔と一致する位置に同じ吊るし孔を施し、封筒として使用し開封し中身を取り出した後、その中に写真や絵を入れてこれを吊るし孔によって壁に掛けてフィルム外側から眺め鑑賞することが可能で、かつ紙の部分の両面にお知らせ、データー，カタログ、地図カレンダー、等を予め印刷して利用者に知らせることも可能なことを、特徴とするかべかけ封筒。
【考案の詳細な説明】
【技術分野】
【０００１】  本考案は主として封筒を利用して、壁にかける事が可能な額及びアルバムを造る技術に関するものである。
【背景技術】
【０００２】  従来絵や写真を眺める為のかべかけ用額及びアルバムと封筒とは全く別個に造られて別個に利用されている。
額は比較的高価であって利用範囲が狭く、一方封筒は安価で中身を入れる袋としての利用に限られ、中身を取り出せば捨てられるのが普通である。
【考案の開示】
【考案が解決しようとする課題】
【０００３】  従来の絵や写真を鑑賞するためのかべかけ型額は造るのに手間がかかる為高価で而も単能的で利用方法が単一化して多目的に利用できないのが欠点である。
このような欠点を改良して、封筒を利用その片側に透明フィルムを貼って内部が見える  、ようにし、かつ壁に吊るせるようにする。
【考案開示の手段】
【０００４】  紙のみで造られる従来型封筒と同じ様なサイズの紙と所要のサイズのフィルムを貼り合わせて袋とし紙の上部のフィルムより大きくした封緘用フラップ部分に吊るし孔を設けて開封後かべかけ可能とし、かつフィルムの外から内部を見ることができるようにする。
【考案の効果】
【０００５】  従来技術に比べ本考案の効果は次の通りである。
１・従来封筒では開封後中身を封筒から分離すれば往々にして紛失し易いが、本考案によるかべかけ封筒に、中身を再び入れてかべに掛けておけば、その所在がはっきり分かるので紛失しにくい。
２・また中身が不要なときこれを捨ててその代わりに絵や写真を中身として入れ、かべかけにすれば額兼アルバムになって中身をフィルムの外側から眺められるので、鑑賞し易く、しかも中身を複数枚入れておけばアルバムとなりかつ差し替え可能である。
３・本考案によるかべかけ封筒の紙の表裏には、発注者にとって必要な情報を予め印刷でき便利かつ経済的である。
４・このようにこのかべかけ封筒は、一回の使用後すぐに捨てられずかべかけファイルとしても長期間利用者によって利用可能なので便利でかつ省資源的である。
【実施例１】
【０００６】［図１］は本考案によるかべかけ封筒の正面図であって、長方形の用紙１の表側を１−１、裏側を１−２とし、上部の狭い区画１−３を封筒入口の封緘用フラップ２とし、次に１−３を除いた裏面区画１−２の３辺に巾の狭い接着剤３−１、３−２、３−３を施して、用紙１−２と透明フィルム２とを接着し、フラップ１−３の中央部に吊るし孔４−１を施し、更にこれを折って接着剤又は両面テープによって封緘した時、孔４−１に重ね合う位置にも吊るし孔４−２を施し、この封筒を開封して封入された中身を取り出した時吊るし孔４−１と４−２とが重ね合うようにして、この封筒を吊るし孔によってかべにかける。
用紙１−１、１−２に所要の絵柄や文章等を予め印刷しておけば外側から読み取れ又絵や写真を挿入すればこれをフィルム外から見る事ができる、又余分な写真や絵を挿入しアルバムとすることもできる。
［図２］は、このかべかけ封筒の      側面図である。、
【図面の簡単な説明】
【０００７】
【図１】  本考案による透明フィルム付き、かべかけ封筒の正面図
【図２】  本考案による透明フィルム付き、かべかけ封筒の側面図
【符号の説明】
【０００８】１    ；  封筒用紙
１−１；  封筒用紙の表側
１−２；  封筒用紙の裏側
１−３；  封筒用紙の上部フラップ
２    ；  透明フィルム
３−１，３−２，３−３；  接着剤
４−１、４−２；  吊るし孔
【図１】
0003170732.tif 000003
【図２】
0003170732.tif 000004